(57)【特許請求の範囲】
【請求項１】
所定直径で突出する突起に圧縮コイルばねを組み立てる、ばね組立体の製造方法において、  前記突起の形状を、少なくとも根元側から先端に向かって直径が拡大する形に形成しておき、  前記圧縮コイルばねの内径（Ｄ3）を前記突起の最大直径（Ｄ1）および当該最大直径部分より根元側の最小直径（Ｄ2）より小さく作っておき、前記突起と前記圧縮コイルばねを軸方向に押し付けるだけでは、前記突起が圧縮コイルばねの端部に入らず、前記突起の根元まで嵌められないようにしておき、  超音波振動手段で前記圧縮コイルばねに上下方向に超音波振動を加えながら、前記圧縮コイルばねの端部を前記突起の先端から根元に向けて押圧していくことにより、前記圧縮コイルばねの端部の直径を超音波振動により拡大・縮小する動作をさせて、前記圧縮コイルばねの端部を前記突起の最大直径部分を乗り越えさせた後、前記突起の根元に到達させ、  その後、前記超音波振動手段の超音波振動を止めて、前記圧縮コイルばねの端部が前記突起の根元を締め付けた状態に組立てる、
ことを特徴とするばね組立体の製造方法。
【請求項２】
それぞれ片面に突起を有する２枚の円環状プレートと圧縮コイルばねを用い、前記２枚の円環状プレートをそれぞれの突起を対向させ、前記２枚の円環状プレートのそれぞれ対向する突起の間に前記圧縮コイルばねを挟み、前記圧縮コイルばねの端部を前記２枚の円環状プレートのそれぞれの突起に嵌め込んで組立てるばね組立体の製造方法において、  前記突起の形状を、少なくとも根元側から先端に向かって直径が拡大する形に形成しておき、  前記圧縮コイルばねの内径（Ｄ3）を前記突起の最大直径（Ｄ1）および当該最大直径部分より根元側の最小直径（Ｄ2）より小さく作っておき、前記突起と前記圧縮コイルばねを軸方向に押し付けるだけでは、前記突起が圧縮コイルばねの端部に入らず、前記突起の根元まで嵌められないようにしておき、  超音波振動手段で前記圧縮コイルばねに上下方向に超音波振動を加えながら、前記圧縮コイルばねの端部を前記突起の先端から根元に向けて押圧していくことにより、前記圧縮コイルばねの端部の直径を超音波振動により拡大・縮小する動作をさせて、前記圧縮コイルばねの端部を前記突起の最大直径部分を乗り越えさせた後、前記突起の根元に到達させ、  その後、前記超音波振動手段の超音波振動を止めて、前記圧縮コイルばねの端部が前記突起の根元を締め付けた状態に組立てる、
ことを特徴とするばね組立体の製造方法。
【請求項３】
所定直径で突出する突起に圧縮コイルばねを組み立てる、ばね組立体の製造装置において、  アンビルと、  超音波振動手段と、  工具ホーンと、  前記超音波振動手段と前記工具ホーンを一体にして前記アンビルに向けて上下動させる上下動手段と、を有し、  一方の被組立体である前記突起の形状を、少なくとも根元側から先端に向かって直径が拡大する形に形成しておき、  他方の被組立体である前記圧縮コイルばねの内径（Ｄ3）を前記突起の最大直径（Ｄ1）および当該最大直径部分より根元側の最小直径（Ｄ2）より小さく作っておき、前記突起と前記圧縮コイルばねを軸方向に押し付けるだけでは、前記突起が圧縮コイルばねの端部に入らず、前記突起の根元まで嵌められないようにしておき、  前記超音波振動手段に接続した前記工具ホーンを前記圧縮コイルばねに押圧して、上下方向に超音波振動を加えながら、前記圧縮コイルばねの端部を前記突起の先端から根元に向けて押圧していくことにより、前記圧縮コイルばねの端部の直径を超音波振動により拡大・縮小する動作をさせて、前記圧縮コイルばねの端部を前記突起の最大直径部分を乗り越えさせた後、前記突起の根元に到達させ、  その後、前記超音波振動手段の超音波振動を止めて、前記圧縮コイルばねの端部が前記突起の根元を締め付けた状態に組立てる、
ことを特徴とするばね組立体の製造装置。
【請求項４】
それぞれ片面に突起を有する２枚の円環状プレートと圧縮コイルばねを用い、前記２枚の円環状プレートをそれぞれの突起を対向させ、前記２枚の円環状プレートのそれぞれ対向する突起の間に前記圧縮コイルばねを挟み、前記圧縮コイルばねの端部を前記２枚の円環状プレートをそれぞれの突起に嵌め込んで組立てるばね組立体の製造装置において、  アンビルと、  超音波振動手段と、  工具ホーンと、  前記超音波振動手段と前記工具ホーンを一体にして前記アンビルに向けて上下動させる上下動手段と、を有し、  一方の被組立体である前記突起の形状を、少なくとも根元側から先端に向かって直径が拡大する形に形成しておき、  他方の被組立体である前記圧縮コイルばねの内径（Ｄ3）を前記突起の最大直径（Ｄ1）および当該最大直径部分より根元側の最小直径（Ｄ2）より小さく作っておき、前記突起と前記圧縮コイルばねを軸方向に押し付けるだけでは、前記突起が圧縮コイルばねの端部に入らず、前記突起の根元まで嵌められないようにしておき、  前記超音波振動手段に接続した前記工具ホーンを前記圧縮コイルばねに押圧して、上下方向に超音波振動を加えながら、前記圧縮コイルばねの端部を前記突起の先端から根元に向けて押圧していくことにより、前記圧縮コイルばねの端部の直径を超音波振動により拡大・縮小する動作をさせて、前記圧縮コイルばねの端部を前記突起の最大直径部分を乗り越えさせた後、前記突起の根元に到達させ、  その後、前記超音波振動手段の超音波振動を止めて、前記圧縮コイルばねの端部が前記突起の根元を締め付けた状態に組立てる、ことを特徴とするばね組立体の製造装置。
【発明の詳細な説明】
【技術分野】
【０００１】
本発明は、圧縮コイルばねを、平面に設けた突起や棒材の先端に組立てる「ばね組立体」の製造方法と製造装置に関する。より具体的には、例えば、自動車の自動変速機のクラッチ機構における多板クラッチピストンの戻しばね手段などとして使用されるばね組立体の製造方法と製造装置に関する。
【背景技術】
【０００２】
車両用の自動変速機のクラッチ機構における多板クラッチピストンの戻しばね手段は、図１０に分解斜視図を示したように、一端を直径の大きい大径端部３０ａに、他端を直径の小さい小径端部３０ｂに形成した多数の圧縮コイルばね３０を、円環状プレート２０、６０に交互に配置した直径の大きい大径突起２０ａ、６０ａと直径の小さい小径突起２０ｂ、６０ｂにそれぞれカシメ固定している（例えば特許文献１、２参照）。
【０００３】
従来の組立方法は、まず、円環状プレート２０、６０の大径突起２０ａ、６０ａに圧縮コイルばねの大径端部３０ａをカシメ、次に、円環状プレートの小径突起２０ｂ、６０ｂに圧縮コイルばねの小径端部３０ｂをカシメ、円環状プレート２０、６０と複数の圧縮コイルばね３０を一体に固定していた。
【０００４】
図１１を用いて、従来の組立方法の手順を説明する。まず、図１１（ａ）のように、第一の円環状プレート６０に形成した大径突起６０ａの根元まで圧縮コイルばねの大径端部３０ａを嵌める。ここで、圧縮コイルばねの大径端部３０ａが大径突起６０ａに簡単に嵌まるように、圧縮コイルばねの大径端部３０ａの内径を大径突起６０ａの外径より大きくした、すきま嵌めにしている。
【０００５】
次に、先端がテーパ状をした第一のポンチ７０を大径突起６０ａに向けて挿入する。すると、図１１（ｂ）のように大径突起６０ａの先端が拡径する。拡径した先端部は圧縮コイルばね３０ａの上面を押さえた形で保持する。
【０００６】
次に、図１１（ｃ）のように、圧縮コイルばね３０の上方の小径端部３０ｂに第二の円環状プレート２０の小径突起２０ｂを根元まで入れる。図１１（ｃ）では、圧縮コイルばねの小径端部３０ｂの内径と小径突起２０ｂの外径を同じ寸法に描いている。小径突起２０ｂの外径が大きいと、小径突起２０ｂが小径端部３０ｂに入らないからである。
【０００７】
次に、大径突起６０ａの下方から第一のポンチ７０より細い第二のポンチ８０を押し上げて挿入する。すると図１１（ｄ）のように、第二の円環状プレート２０の小径突起２０ｂの先端は拡径して、拡径した先端部で圧縮コイルばねの小径端部３０ｂの下面を押さえた形で保持する。このことにより、第一の円環状プレート６０、第二の円環状プレート２０、そして多数の圧縮コイルばね３０は一体に組立てられる。
【０００８】
ここで、圧縮コイルばねの両端では、軸芯に対して直交する面と平行になるばね座部分を形成していて、ばね座部分を大径突起２０ａ、６０ａ、小径突起２０ｂ、６０ｂの拡径した先端部で保持している。ばね座部分は図１１（ｂ）や（ｄ）に示したように拡径した先端部で保持できるが、ばね座部分からつる巻き状に立ち上る部分は拡径した先端部と干渉する。図１１（ｂ）や（ｄ）のように、拡径した先端部でばねの線材の半分程度を覆うと干渉が大きく、つる巻き部分が内側から押し広げられて圧縮コイルばねの本来の形が変形してしまう。あるいは、先端部を所定量拡径できずにカシメ不良となってしまう。結局、先端部の拡径の程度は制限され、図１１（ｂ）や（ｄ）のように拡径した先端部でばねの線材の半分程度を覆うようにしっかりと強固に保持することは難しかった。
【０００９】
また、圧縮コイルばねの大径端部３０ａと小径端部３０ｂは、上面あるいは下面を拡径した先端部で押さえられた形で保持されているが、元々、圧縮コイルばねの内面は、大径突起２０ａ、６０ａ、小径突起２０ｂ、６０ｂの外面を締め付けていないので、圧縮コイルばねの内面と大径突起２０ａ、６０ａ、小径突起２０ｂ、６０ｂの外面との間には、隙間があったり、隙間なく密着していても軽く接触している程度の押圧状態にあった。
【先行技術文献】
【特許文献】
【００１０】
【特許文献１】特許第４０７７３７５号公報
【特許文献２】特許第４４４７１８８号公報
【発明の概要】
【発明が解決しようとする課題】
【００１１】
この種のばね組立体では、円環状プレート２０、６０に対して多数の圧縮コイルばね３０が強固に固定されていることが必要である。ところが、圧縮コイルばね３０は、実使用状態で圧縮力を受けると、カシメ固定されている部分に拡径方向の力が作用する。圧縮コイルばね３０のカシメ固定されている端部３０ａ、３０ｂが拡径すると、大径突起２０ａ、６０ａや小径突起２０ｂ、６０ｂから外れる方向に広がる。カシメ状況や使用状況によっては、圧縮コイルばねが突起の先端から外れてしまう虞も生じる。そのため、カシメ作業を精度よく行って、所定のカシメ力を得る必要がある。しかし、図１０のように、円環状プレートに１６個から１８個程度の多数の圧縮コイルばねを一度に精度よく確実にカシメ固定することは容易ではなかった。
【００１２】
また、上記従来の組立方法では、まず、円環状プレートの大径突起２０ａ、６０ａに圧縮コイルばねの大径端部３０ａを嵌めてカシメた後、次に、小径突起２０ｂ、６０ｂに圧縮コイルばねの小径端部３０ｂを嵌めてカシメている。そのため、圧縮コイルばねの向きを、大径端部と大径突起、小径端部と小径突起に確実に対応させる必要があった。
【００１３】
本発明は、円環状プレートに多数の圧縮コイルばねを短時間に、強固に固定することを第一の課題としている。また、圧縮コイルばねの両端の内径寸法と突起の外形寸法をそれぞれ同じにして、突起と圧縮コイルばねの端部を任意に組み合わせて組立作業できるようにすることを第二の課題としている。
【課題を解決するための手段】
【００１４】
本発明のばね組立体の組立方法では、圧縮コイルばねに超音波振動を加えると、圧縮コイルばねの線材が、巻いてあるつるまき線に沿って膨張・収縮動作する振動を繰り返して、超音波振動を加えた圧縮コイルばねの他端側の直径が拡大したり、縮小したりする現象を繰り返すことを利用している。
【００１５】
すなわち、本発明では、圧縮コイルばねを平面に設けた突起や棒材の先端に組立てる「ばね組立体」の製造方法において、突起の形状を、少なくとも根元側から先端に向かって直径が拡大する形に形成しておき、圧縮コイルばねの内径（Ｄ3）を突起の最大直径（Ｄ1）および当該最大直径部分より根元側の最小直径（Ｄ2）より小さく作っておき、突起と圧縮コイルばねを軸方向に押し付けるだけでは、突起が圧縮コイルばねの端部に入らず、突起の根元まで嵌められないようにしておき、超音波振動手段で圧縮コイルばねに上下方向に超音波振動を加えながら、圧縮コイルばねの端部を突起の先端から根元に向けて押圧していく。このことにより、圧縮コイルばねの端部の直径を超音波振動により拡大・縮小する動作をさせて、圧縮コイルばねの端部を突起の最大直径部分を乗り越えさせた後、突起の根元に到達させ、その後、超音波振動手段の超音波振動を止めて、圧縮コイルばねの端部が突起の根元を締め付けた状態に組立てている。
【発明の効果】
【００１６】
本発明のばね組立体の組立方法によれば、（１）圧縮コイルばねに超音波振動を加えた状態で突起に組立固定するため、圧縮コイルばねを平面に設けた突起や棒材の先端に短時間に組立固定できる効果がある。特に、短時間で嵌合（組付け）できるため、工具ホーンと接触する部材表面に超音波振動によるキズが付かない効果がある。
【００１７】
また、（２）超音波振動を加えた状態で突起や棒材の先端に組立固定した後は、圧縮コイルばねの端部が突起の根元や棒材の先端を締め付けている。そのため、圧縮コイルばねが実使用状態で圧縮されたときに端部が拡径しようとしても、圧縮コイルばねの締付力が、拡径しようとする力と相殺して圧縮コイルばねの端部が拡径せず、圧縮コイルばねが突起や棒材の先端から外れないという効果がある。（３）また、圧縮コイルばねの両端の内径寸法と平面に設けた突起や棒材の先端の外形寸法をそれぞれ同じにしているため、圧縮コイルばねと突起や棒材の先端の対応関係を任意に組み合わせて組立てできる効果がある。
【図面の簡単な説明】
【００１８】
【図１】（ａ）本発明の実施形態１に係るばね組立体製造装置による組立の第一工程を示した側面図、（ｂ）本発明の実施形態１に係るばね組立体製造装置による組立の第二工程を示した側面図。
【図２】本発明の実施形態１の組立開始前におけるアンビル、円環状プレート、圧縮コイルばねと、工具ホーンの位置関係を示した図。
【図３】本発明の実施形態１の円環状プレートの突起に圧縮コイルばねを嵌め込んだときの一部を断面とした側面図。
【図４】（ａ）本発明の実施形態１の組立の第一工程の開始時（第一工程I）の状態を示した断面図、（ｂ）圧縮コイルばねに超音波振動を与えて端部を拡径したとき（第一工程II）の状態を示した断面図、（ｃ）超音波振動を与えた圧縮コイルばねの端部が突起の根元に達し、端部の直径が縮小したとき（第一工程III）の状態を示した断面図、（ｄ）工具ホーンの超音波振動を止めて上方に引き抜いたとき（第一工程IV）の状態を示した断面図。
【図５】（ａ）本発明の実施形態１の組立の第二工程の開始時（第二工程I）の状態を示した断面図、（ｂ）圧縮コイルばねに超音波振動を与えて端部を拡径したとき（第二工程II）の状態を示した断面図、（ｃ）超音波振動を与えた圧縮コイルばねの端部が突起の根元に達し、端部の直径が縮小したとき（第二工程III）の状態を示した断面図、（ｄ）工具ホーンの超音波振動を止めて上方に引き抜いたとき（第二工程IV）の状態を示した断面図。
【図６】（ａ）本発明の実施形態２の組立の第一工程の開始時（第一工程I）の状態を示した断面図、（ｂ）圧縮コイルばねに超音波振動を与えて端部を拡径したとき（第一工程II）の状態を示した断面図、（ｃ）超音波振動を与えた圧縮コイルばねの端部が突起の根元に達し、端部の直径が縮小したとき（第一工程III）の状態を示した断面図、（ｄ）工具ホーンの超音波振動を止めて上方に移動したとき（第一工程IV）の状態を示した断面図。
【図７】（ａ）本発明の実施形態２の組立の第二工程の開始時（第二工程I）の状態を示した断面図、（ｂ）圧縮コイルばねに超音波振動を与えて端部を拡径したとき（第二工程II）の状態を示した断面図、（ｃ）超音波振動を与えた圧縮コイルばねの端部が突起の根元に達し、端部の直径が縮小したとき（第二工程III）の状態を示した断面図、（ｄ）工具ホーンの超音波振動を止めて上方に移動したとき（第二工程IV）の状態を示した断面図。
【図８】（ａ）本発明の実施形態３の組立工程の開始時（工程I）の状態を示した断面図、（ｂ）圧縮コイルばねに超音波振動を与えて端部を拡径したとき（工程II）の状態を示した断面図、（ｃ）超音波振動を与えた圧縮コイルばねの端部が突起の根元に達し、端部の直径が縮小したとき（工程III）の状態を示した断面図、（ｄ）工具ホーンの超音波振動を止めて上方に移動したとき（工程IV）の状態を示した断面図。
【図９】本発明の実施形態４の組立開始前におけるアンビル、円環状プレート、圧縮コイルばねと、工具ホーンの位置関係を示した図。
【図１０】従来のばね組立体の２つの円環状プレートと複数の圧縮コイルばねの位置関係を示した分解斜視図。
【図１１】（ａ）従来のばね組立体の組立方法の第一の円環状プレートの大径突起に圧縮コイルばねの大径端部を嵌め、第一のポンチでカシメるときの状態を示した断面図、（ｂ）従来のばね組立体の組立方法の第一の円環状プレートの大径突起に圧縮コイルばねの大径端部をカシメ固定した状態を示した断面図、（ｃ）従来のばね組立体の組立方法の第二の円環状プレートの小径突起に圧縮コイルばねの小径端部を嵌め、第二のポンチでカシメるときの状態を示した断面図、（ｄ）従来のばね組立体の組立方法の第二の円環状プレートの小径突起に圧縮コイルばねの小径端部をカシメ固定した状態を示した断面図。
【発明を実施するための形態】
【００１９】
（実施形態１）
発明を実施するための形態として、以下、自動車の自動変速機のクラッチ機構における多板クラッチピストンの戻しばね手段などとして使用されるばね組立体の製造方法と製造装置を例として説明する。
【００２０】
本発明の実施形態１では、複数の圧縮コイルばね３の一端側を第一の円環状プレート２に組立てる工程を組立の第一工程として説明し、第一工程の後、圧縮コイルばね３の他端側を第二の円環状プレート６に組立てる工程を組立の第二工程として説明する。本発明の実施形態１では、圧縮コイルばねに超音波振動を加える工具ホーンの形が第一工程と第二工程とで異なるため、工具ホーン４と７を取り付けた２台のばね組立体製造装置１００、２００を用いて組立を行う。
【００２１】
図１（ａ）に、本発明の実施形態１の組立の第一工程を行うばね組立体製造装置１００の側面図を示し、図１（ｂ）に、本発明の実施形態１の組立の第二工程を行うばね組立体製造装置２００の側面図を示す。本発明の実施形態１に係るばね組立体製造装置１００、２００は、基本的に同じ構造であるが、工具ホーン４、７が異なっている。
【００２２】
図１（ａ）（ｂ）に示したように、ばね組立体製造装置１００、２００は、Ｌ字型をした本体フレーム３６、１３６に、移動フレーム３５、１３５を上下方向に移動可能に支持し、移動フレーム３５、１３５には超音波振動ユニット５、１５を取り付け、超音波振動ユニット５、１５の先端に工具ホーン４、７を取り付けている。超音波振動ユニット５、１５と工具ホーン４、７は移動フレーム３５、１３５とともに、本体フレーム３６、１３６に取り付けられたシリンダー３７、１３７によって本体フレーム３６、１３６上のアンビル１、１１に向けて上下動するように構成している。
【００２３】
図１（ａ）の本発明の実施形態１の組立の第一工程では、（１）ばね組立体製造装置１００のアンビル１に、図示していない突起２ａを上方に向けた形で第一の円環状プレート２を載せ、（２）複数の圧縮コイルばね３を工具ホーン４に取り付けてから、（３）シリンダー３７によって、複数の圧縮コイルばね３を取り付けた工具ホーン４を下降させ、（４）複数の圧縮コイルばね３の下方の端部を第一の円環状プレート２の突起２ａの上端に当て、（５）工具ホーン４で圧縮コイルばね３を超音波振動させながら、第一の円環状プレート２の突起２ａに向けて押圧する。（６）このことにより、圧縮コイルばね３の下方の端部が突起２ａの根元に達し、根元を締め付けた形で一体固定する。（７）そして、工具ホーン４の超音波振動を止め、シリンダー３７によって工具ホーン４を上昇させ、工具ホーン４を複数の圧縮コイルばね３から引き抜いている。なお、第一工程の詳細は図４を用いて後述する。
【００２４】
発明理解のため、図２に、アンビル１、第一の円環状プレート２と突起２ａ、圧縮コイルばね３、工具ホーン４の形状と位置関係を示した。アンビル１の平面上には、第一の円環状プレート２が置かれ、第一の円環状プレート２の上面にはバーリング加工等により突起２ａが形成してある。突起２ａの形状は、根元から先端に向かって直径が拡大する形にしている。図２では、突起２ａの断面形状を所定の半径を持った曲面として描いているが、根元から先端に向かってテーパ状に拡大する断面形状にしても良い。
【００２５】
突起２ａの寸法関係については、根元の外径（Ｄ1）より先端の外径（Ｄ2）を大きくしている。そして、圧縮コイルばね３の内径（Ｄ3）は根元の外径（Ｄ1）及び先端の外径（Ｄ2）より小さくしてある。つまり、Ｄ2＞Ｄ1＞Ｄ3という寸法関係を持たせている。Ｄ2、Ｄ1、Ｄ3の直径の差は、直径の大きさにもよるが、少なくとも０．１ｍｍ〜０．２ｍｍ程度の差を設けている。
【００２６】
図３に、本発明の実施形態１の第一の円環状プレートの突起２ａに圧縮コイルばね３を嵌め込んだときの一部を断面とした側面図を示した。図３の圧縮コイルばね３の端部は、先に先行例として示した特許文献１の図４、及び特許文献２の図６と似ているが、第一の円環状プレートの突起２ａを圧縮コイルばね３の端部で締め付けている点で大きく異なっている。
【００２７】
また本発明では、突起２ａの先端の外径（Ｄ2）と根元の外径（Ｄ1）の直径差を少なくとも０．１ｍｍ〜０．２ｍｍ程度にしているため、ばね座部分からつる巻き状に立ち上る部分と先端の外径（Ｄ2）部分が干渉して圧縮コイルばねの本来の形を変形させる程度は極めて小さく、実用上問題にならない。
【００２８】
図１（ｂ）の本発明の実施形態１の組立の第二工程では、（１）ばね組立体製造装置２００のアンビル１１に、図示していない突起６ａを上方に向けた形で第二の円環状プレート６を載せ、（２）工具ホーン７に第一工程で圧縮コイルばね３を一体に固定した第一の円環状プレート２を上下反転させた向きに取り付ける。そして（３）シリンダー１３７によって、第一の円環状プレート２を取り付けた工具ホーン７を下降させ、（４）下方を向いている複数の圧縮コイルばね３の端部を第二の円環状プレート６の突起６ａの上端に当て、（５）工具ホーン７で圧縮コイルばね３を超音波振動させながら、第二の円環状プレート６の突起６ａに向けて押圧する。（６）このことにより、圧縮コイルばね３の下方を向いている端部が突起６ａの根元に達し、根元を締め付けた形で一体固定する。（７）そして、工具ホーン７の超音波振動を止め、シリンダー１３７によって工具ホーン７を上昇させ、工具ホーン７を複数の圧縮コイルばね３から引き抜いている。なお、第二工程の詳細は、図５を用いて後述する。
【００２９】
図４（ａ）（ｂ）（ｃ）（ｄ）は、本発明の実施形態１に係るばね組立体製造装置１００を用いて、圧縮コイルばね３を第一の円環状プレート２の突起２ａに一体に固定する組立の第一工程を４つの図に分けて示した工程図である。
【００３０】
予め、第一の円環状プレート２には突起２ａが、第一の円環状プレート２の表面つまり突起２ａの根元から、先端に向かって直径が拡大する形に形成してある。そして、突起２ａの最大直径（Ｄ1）及び根元の直径（Ｄ2）より圧縮コイルばね３の内径（Ｄ3）を小さく作ってあることは図２で説明した。
【００３１】
図４（ａ）は、本発明の実施形態１の組立の第一工程の開始時（第一工程I）の状態を示している。まず、アンビル１の所定位置に、突起２ａを上方に向けた形で第一の円環状プレート２を位置決めする。
【００３２】
工具ホーン４の下面には、圧縮コイルばね用突起４ａが設けてあるので、準備作業として、予め圧縮コイルばね３を圧縮コイルばね用突起４ａに嵌める。なお、複数の圧縮コイルばね３を同時に複数の圧縮コイルばね用突起４ａに嵌めるために、必要により図示しない圧縮コイルばね３の保持治具を用いてよいことは言うまでもない。図４（ａ）は、圧縮コイルばね用突起４ａに複数の圧縮コイルばね３を嵌め、工具ホーン４を下降させ、工具ホーン４に取り付けた複数の圧縮コイルばね３の下方の端部を第一の円環状プレート２の突起２ａの上端に当てた状態を示している。
【００３３】
図４（ｂ）は、工具ホーン４を上下方向に超音波振動させ、圧縮コイルばね３に超音波振動を与えて端部を拡径させているとき（第一工程II）の状態を示している。図中、折れ線矢印を記載して、超音波振動しているイメージを表現した。
【００３４】
工具ホーン４で圧縮コイルばね３に超音波振動を加えると、圧縮コイルばね３の線材は巻いてあるつるまき線に沿って膨張・収縮する振動を繰り返す。そのため、圧縮コイルばね３の他端では、つるまき線の直径が拡大したり縮小したりする現象を繰り返す。図４（ｂ）では、超音波振動を加えた圧縮コイルばね３の端部の直径が拡大し、第一の円環状プレート２の突起２ａの最大直径より圧縮コイルばね３の端部の内径が大きくなることを発明理解のために少し強調して示した。
【００３５】
図４（ｃ）は、圧縮コイルばね３の端部の内径が、第一の円環状プレート２の突起２ａの最大直径より大きくなって、突起２ａの最大直径の部分を乗り越え、圧縮コイルばね３の端部の下面が第一の円環状プレート２の表面に当接し、圧縮コイルばね３の端部の直径が縮小したときに、第一の円環状プレート２の突起２ａの根元を締め付けている状態を示している（第一工程III）。
【００３６】
その後、図４（ｄ）のように、工具ホーン４の超音波振動を止めて持ち上げると、圧縮コイルばね３の振動は止まり、圧縮コイルばね３の端部は突起２ａの根元を締めつけた形で一体固定されているため、工具ホーン４は圧縮コイルばね３から離脱し、組立の第一工程が終わる（第一工程IV）。
【００３７】
図５（ａ）は、本発明の実施形態１に係る組立の第二工程の開始時（第二工程I）の状態を示している。まず、アンビル１１の所定位置に、突起６ａを上方に向けた形で第二の円環状プレート６を位置決めする。なお、第二の円環状プレート６には突起６ａが、第二の円環状プレート６の表面から突起６ａの先端に向かって直径が拡大する形に形成してある。寸法形状は突起２ａと同じであり、突起６ａの最大直径（Ｄ1）及び根元の直径（Ｄ2）より圧縮コイルばね３の内径（Ｄ3）を小さく作ってあることも同じである。
【００３８】
工具ホーン７の下面には、圧縮コイルばね用突起７ａが設けてあるので、準備作業として、第一工程で一体にした圧縮コイルばね３と第一の円環状プレート２を上下反転させた形で圧縮コイルばね用突起７ａに嵌める。なお、複数の圧縮コイルばね３を同時に複数の圧縮コイルばね用突起７ａに嵌めるために、必要により図示しない圧縮コイルばね３の保持治具を用いてよいことは言うまでもない。
【００３９】
図５（ａ）は、圧縮コイルばね用突起７ａに第一の円環状プレート２と圧縮コイルばね３を嵌め、工具ホーン７を下降させ、工具ホーン７に取り付けた複数の圧縮コイルばね３の端部を第二の円環状プレート６の突起６ａの上端に当てた状態を示している。
【００４０】
図５（ｂ）は、工具ホーン７を上下方向に超音波振動させ、圧縮コイルばね３に超音波振動を与えて端部を拡径させているとき（第二工程II）の状態を示している。図中、折れ線矢印を記載して、超音波振動しているイメージを表現した。
【００４１】
工具ホーン７で圧縮コイルばね３に超音波振動が加えると、圧縮コイルばね３の線材は巻いてあるつるまき線に沿って膨張・収縮する振動を繰り返す。そのため、圧縮コイルばね３の他端では、つるまき線の直径が拡大したり縮小したりする現象を繰り返す。図５（ｂ）では、超音波振動を加えた圧縮コイルばねの端部の直径が拡大し、第二の円環状プレート６の突起６ａの最大直径より圧縮コイルばね３の端部の内径が大きくなることを発明理解のために少し強調して示した。
【００４２】
図５（ｃ）は、圧縮コイルばね３の端部の内径が、第二の円環状プレート６の突起６ａの最大直径より大きくなって、突起６ａの最大直径の部分を乗り越え、圧縮コイルばね３の端部の下面が第二の円環状プレート６の表面に当接し、圧縮コイルばね３の端部の直径が縮小したときに、円環状プレート６の突起６ａの根元を締め付けている状態を示している（第二工程III）。
【００４３】
その後、図５（ｄ）のように、工具ホーン７の超音波振動を止めて持ち上げると、圧縮コイルばね３の振動は止まり、圧縮コイルばね３の端部は突起６ａの根元を締めつけて一体固定されているため、工具ホーン７は圧縮コイルばね３から離脱し、組立の第二工程が終わる（第二工程IV）。
【００４４】
このように、本発明の実施形態１の組立の第一工程と第二工程により、一対の円環状プレート２、６と複数の圧縮コイルばね３が一体に組立てられる。
【００４５】
本発明では、圧縮コイルばね３の内径（Ｄ3）を突起２ａ、６ａの最大直径（Ｄ1）および根元の最小直径（Ｄ2）より小さく作って、超音波振動手段（工具ホーン４、７）で圧縮コイルばね３に超音波振動を加えながら、圧縮コイルばね３の端部を突起２ａ、６ａの先端から根元に向けて押圧して、突起２ａ、６ａの根元を締め付けた形で一体固定している。
【００４６】
圧縮コイルばね３は、突起２ａ、６ａの根元を締め付けているため、ばね組立体が製品として実稼働するときに圧縮コイルばね３に加わる圧縮力が、突起２ａ、６ａの根元を締め付けている端部に拡径方向に作用しても拡径しない。そのため、突起２ａ、６ａを把持した把持力、つまり固着力が保たれ、圧縮コイルばね３が突起２ａ、６ａを把持し続けるという効果がある。
【００４７】
本発明のように、突起の最大直径（Ｄ1）および根元の最小直径（Ｄ2）より内径（Ｄ3）を小さく作ってある圧縮コイルばね３は、従来のように、手作業あるいは治具を用いて、単純に軸方向に押し付けるだけでは、突起２ａ、６ａの根元まで嵌められない。
【００４８】
本発明は、圧縮コイルばね３を、超音波振動を加えながら突起２ａ、６ａに押圧することで、突起２ａ、６ａの根元まで嵌め込み、しかも圧縮コイルばね３の端部で突起２ａ、６ａの根元を締め付けた状態で一体固定している。圧縮コイルばね３に超音波振動を加えた状態で突起２ａ、６ａに押圧を開始し、突起の根元を締め付けた形で一体固定するまでの時間は、実際に行った実験結果では、０．１秒程度の時間で行うことができた。突起や圧縮コイルばねの大きさ、材質等の諸条件によって組立時間は変動するが、０．１秒前後の短時間である。特に多数の圧縮コイルばねを同時に円環状プレートの突起に組立てるときは、圧縮コイルばねの数に関係なく一括して短時間で組立てられる効果がある。特に、短時間で嵌合（組付け）できるため、工具ホーンと接触する部材表面に超音波振動によるキズが付かない効果がある。
【００４９】
また、円環状プレートに同一形状寸法の突起を複数配置し、一端と他端で同一形状寸法の圧縮コイルばねを組立てるため、圧縮コイルばねと突起を任意に組み合わせて組立てできるという効果がある。
【００５０】
なお、実施形態１で、工具ホーン４、７の下面に圧縮コイルばね用突起４ａ、７ａを設けたのは、準備作業として圧縮コイルばね３を工具ホーン４、７に位置決め精度よく取り付ける効果と、圧縮コイルばね３に工具ホーン４、７の超音波振動を確実に伝える効果を生じさせるためである。
【００５１】
なお、圧縮コイルばね用突起４ａ、７ａを設ける代わりに、工具ホーン４の下面に凹部を設け、当該凹部に圧縮コイルばね３の端部を嵌めて、圧縮コイルばね３の端部の外周を保持するようにしてもよい。この場合、工具ホーン７の下面は平面のままにして、圧縮コイルばね用突起４ａ、７ａを設けたときと同様に超音波振動を伝えることができる。
【００５２】
（実施形態２）
実施形態１では、工具ホーン４、7の下面に圧縮コイルばね用突起４ａ、７ａを設けた例を説明したが、工具ホーンの下面に圧縮コイルばね用突起を設けない平面として、その代わりに、圧縮コイルばね３の位置決め治具として案内板９を用いるようにしてもよい。
【００５３】
本発明の実施形態２のばね組立体製造装置の工具ホーン８の下面は、圧縮コイルばね用突起を設けていない平面にしてある。そのため、１台のばね組立体製造装置に工具ホーン８を取り付けて、第一工程と第二工程を順次行うことができる。１台のばね組立体製造装置で第一工程と第二工程を行えることは実施形態１に比べて有利である。
【００５４】
本発明の実施形態２のばね組立体製造装置は、下面を平面にした工具ホーン８を取り付けた以外は、実施形態１で示したばね組立体製造装置１００及び２００と同じである。ここでは、実施形態２のばね組立体製造装置の図示と構造説明を省略し、図６と図７を用いて、本発明の実施形態２として案内板９を用いた組立方法を説明する。図６は、本発明の実施形態２に係るばね組立方法の第一工程を示し、図７は第二工程を示している。各工程の詳細手順をそれぞれ４つの図に分けて説明する。
【００５５】
図６（ａ）は、本発明の実施形態２の組立の第一工程の開始時（第一工程I）の状態を示している。まず、アンビル１の所定位置に、突起２ａを上方に向けた形で第一の円環状プレート２を位置決めする。そして、第一の円環状プレート２の上に圧縮コイルばね３の案内板９を置いている。案内板９の形は、ほぼ第一の円環状プレート２と同じ円板状をしていて、厚さが厚く、第一の円環状プレート２の突起２ａを配置した位置に圧縮コイルばね３を案内するテーパ孔を明けている。テーパ孔の上部の内径は、圧縮コイルばね３の外径と同じにして位置決め可能にしている。
【００５６】
なお、第一の円環状プレート２には突起２ａが、予め第一の円環状プレートの表面から突起の先端に向かって直径が拡大する形に形成してあること、突起２ａの最大直径と根元の直径より圧縮コイルばね３の内径を小さく作ってあることは実施形態１と同じである。案内板９の孔に圧縮コイルばね３を入れると圧縮コイルばね３の端部が突起２ａの上に乗るように案内され位置決めされる。
【００５７】
図６（ｂ）は、本発明の実施形態２の工具ホーン８に超音波振動を与えて圧縮コイルばね３を振動させ、圧縮コイルばね３の端部が拡径した状態を示している（第一工程II）。案内板９の孔の内径は、突起２ａに近い側が大きくなるようテーパ状の孔にしているため、圧縮コイルばね３の端部は束縛されることなく拡径する。圧縮コイルばね３に超音波振動が加わると、圧縮コイルばね３の線材が巻いてあるつるまき線に沿って膨張・収縮動作する。そして、超音波振動を加えた圧縮コイルばね３の他端側の直径が拡大したり、縮小したりする現象を繰り返す。
【００５８】
図６（ｂ）では、超音波振動を加えた圧縮コイルばねの端部の直径が拡大し、第一の円環状プレート２の突起２ａの最大直径より圧縮コイルばねの端部の内径が大きくなることを発明理解のために少し強調して示した。
【００５９】
図６（ｃ）は、圧縮コイルばね３の端部の内径が、第一の円環状プレート２の突起２ａの最大直径より大きくなって、突起２ａの最大直径の部分を乗り越え、圧縮コイルばね３の端部の下面が第一の円環状プレート２の表面に当接し、圧縮コイルばね３の端部の直径が縮小して、第一の円環状プレート２の突起２ａの根元を締め付けている状態を示している（第一工程III）。
【００６０】
その後、図６（ｄ）のように、工具ホーン８の超音波振動を止めて持ち上げると、圧縮コイルばね３の振動は止まる。そして、圧縮コイルばね３の端部は突起２ａの根元を締めつけて一体固定される。工具ホーン８は圧縮コイルばね３から離れて、組立の第一工程が終わる（第一工程IV）。
【００６１】
図７（ａ）は、本発明の実施形態２に係る組立の第二工程の開始時（第二工程I）の状態を示している。まず、アンビル１の所定位置に、突起６ａを上方に向けた形で第二の円環状プレート６を位置決めする。なお、第二の円環状プレート６には突起６ａが、第二の円環状プレート６の表面から突起６ａの先端に向かって直径が拡大する形に形成してあることと、その寸法形状は突起２ａと同じであるのは、実施形態１と同じである。
【００６２】
なお、工具ホーン８の下面には圧縮コイルばね用突起を設けていないので、図示しない位置決め治具で、第一工程で一体にした圧縮コイルばね３と第一の円環状プレート２を上下反転させた形で複数の圧縮コイルばね３の下方の端部を第二の円環状プレート６の突起６ａの上端に当てる。
【００６３】
図７（ｂ）は圧縮コイルばね３に超音波振動を与えて端部を拡径したとき（第二工程II）の状態を示している。工具ホーン８で圧縮コイルばね３に超音波振動を加えると、圧縮コイルばね３の線材が巻いてあるつるまき線に沿って膨張・収縮する振動を繰り返す。そのため、圧縮コイルばね３の他端では、つるまき線の直径が拡大したり縮小したりする現象を繰り返す。図７（ｂ）では、超音波振動を加えた圧縮コイルばね３の端部の直径が拡大し、第二の円環状プレート６の突起６ａの最大直径より圧縮コイルばねの端部の内径が大きくなることを発明理解のために少し強調して示した。
【００６４】
図７（ｃ）は、圧縮コイルばね３の端部の内径が、第二の円環状プレート６の突起６ａの最大直径より大きくなって、突起６ａの最大直径の部分を乗り越え、圧縮コイルばね３の端部の下面が第二の円環状プレート６の表面に当接し、圧縮コイルばね３の端部の直径が縮小して、第二の円環状プレート６の突起６ａの根元を締め付けている状態を示している（第二工程III）。
【００６５】
その後、図７（ｄ）のように、工具ホーン８の超音波振動を止めて持ち上げると、圧縮コイルばね３の振動は止まり、圧縮コイルばね３の端部は突起６ａの根元を締めつけて一体固定される。工具ホーン８は圧縮コイルばね３から離れて組立の第二工程が終わる（第二工程IV）。
【００６６】
本発明の実施形態２による組立効果は、基本的に実施形態１と同じであるが、工具ホーンの押圧面を単純な形状にできる利点と、第一工程と第二工程を１台のばね組立体製造装置で行うことができる実際的な利点がある。
【００６７】
（実施形態３）
実施形態１、２では、第一の円環状プレート２に圧縮コイルばね３を組み立てる第一工程と、第二の円環状プレート６に圧縮コイルばね３を組み立てる第二工程という二工程に分けて説明したが、第一の円環状プレート２と第二の円環状プレート６に圧縮コイルばね３を一つの工程で同時に組み立てるようにしてもよい。工程が一つですめば、ばね組立体製造装置が一台ですむ効果と、組立時間が半減する効果がある。
【００６８】
本発明の実施形態３として、第一の円環状プレート２と第二の円環状プレート６に圧縮コイルばね３を同時に組み立てる場合を説明する。実施形態３では、図８（ａ）のように、アンビル１の上に、第二の円環状プレート６、圧縮コイルばね３、第一の円環状プレート２を積み重ね、第一の円環状プレート２の上面に工具ホーン８のフラットな押圧面を当てている（工程I）。各部の位置決め案内手段は示していないが、第二の円環状プレート６の突起６ａと圧縮コイルばね３の下端部の軸芯、圧縮コイルばね３の上端部と第一の円環状プレート２の突起２ａとの軸芯がアンビル１に対する一つの垂線に一致するように支持する。
【００６９】
図８（ｂ）のように、工具ホーン８に超音波振動を加えると、圧縮コイルばね３の線材が巻いてあるつるまき線に沿って膨張・収縮動作する振動を繰り返して、圧縮コイルばね３の上端と下端の直径が拡大したり縮小したりする現象を繰り返す（工程II）。
【００７０】
そして図８（ｃ）のように、圧縮コイルばね３の上端は第一の円環状プレート２の突起２ａの最大直径部分を乗り越えて、第一の円環状プレート２に当たって、突起２ａの根元を締めつける。また、圧縮コイルばね３の下端は第二の円環状プレート６の突起６ａの最大径部分を乗り越えて、第二の円環状プレート６に当たった状態で、突起６ａの根元を締めつける（工程III）。
【００７１】
そして図８（ｄ）のように、工具ホーン８の超音波振動を止めて、上方に移動すれば、第一の円環状プレート２、圧縮コイルばね３、そして第二の円環状プレート６が一体となる。
【００７２】
本発明の実施形態３では、同時に多数の圧縮コイルばね３を一対の円環状プレート２、６の間に位置決めして、工具ホーン８に超音波振動を加えることで、多数の圧縮コイルばね３と一対の円環状プレート２、６を一体に組立てることができる。
【００７３】
本発明の実施形態３による組立効果は、基本的に実施形態１、２と同じであるが、実施形態２と同様に工具ホーンの押圧面を単純な形状にできる利点、第一工程と第二工程を１台のばね組立体製造装置で行うことができる利点に加えて、組立時間がを更に短縮できるという利点がある。
【００７４】
（実施形態４）
なお、実施形態１から３では、円環状プレート２、６の表面に突起２ａ、６ａをプレス加工あるいはバーリング加工で突設させて形成した場合を説明したが、図９に示したように、円環状プレート１２、１６の表面に旋盤で削り出した棒状部材（ピン）１２ａ、１６ａをカシメ固定して突設させてもよい。
【００７５】
予め、棒状部材１２ａ、１６ａの形として、実施形態１から３で示した突起２ａ、６ａと同様な形状、つまり棒状部材１２ａ、１６ａの根元側で直径が一旦小さく（Ｄ1に）なってから先端に向かって直径が（Ｄ2に）拡大する形に削り出して、円環状プレート１２、１６にカシメ固定しておいて、図９に示したように、棒材部材１２ａ、１６ａの間に内径（Ｄ3）が棒状部材１２ａ、１６ａの最大直径（Ｄ2）と最小直径（Ｄ1）より小さい圧縮コイルばね３を挟んで、工具ホーン８を超音波振動させて押圧し、一体に組立てるようにしてもよい。旋盤で削り出す棒状部材１２ａ、１６ａであれば、先端に任意の傾斜角の挿入ガイド部分１２ｂ、１６ｂを設けることができるので、棒状部材１２ａ、１６ａの先端に圧縮コイルばね３を容易に嵌められる効果がある。
【産業上の利用可能性】
【００７６】
本発明は、圧縮コイルばねを平面に設けた突起や棒材の先端に組立てる「ばね組立体」の製造方法と製造装置に適用することができる。より具体的には、例えば、自動車の自動変速機のクラッチ機構における多板クラッチピストンの戻しばね手段などとして使用されるばね組立体の製造方法と製造装置に適用することができる。突起は、円環状プレート表面にプレス加工あるいはバーリング加工で突設させて形成した場合はもちろん、旋盤で削り出した棒状部材を円環状プレート表面にカシメ固定して突出させた場合についても適用することができる。また、圧縮コイルばねの数について、多数の突起に同時に組立てるときに適用することができるほか、１個ずつ組立てる場合にも適用することができる。
【符号の説明】
【００７７】
１  アンビル
２  第一の円環状プレート
２ａ  突起
３  圧縮コイルばね
４  工具ホーン
４ａ  圧縮コイルばね用突起
５  超音波振動手段
６  第二の円環状プレート
６ａ  突起
７  工具ホーン
７ａ  圧縮コイルばね用突起
【図１】
0006432026.tif 000002
【図２】
0006432026.tif 000003
【図３】
0006432026.tif 000004
【図４】
0006432026.tif 000005
【図５】
0006432026.tif 000006
【図６】
0006432026.tif 000007
【図７】
0006432026.tif 000008
【図８】
0006432026.tif 000009
【図９】
0006432026.tif 000010
【図１０】
0006432026.tif 000011
【図１１】
0006432026.tif 000012